(57)【要約】      （修正有）【課題】タオルチーフをバラの花びらのように加工して素材を傷めることなく固定するための加工技術であり、アートフラワーとしての価値を上げるための葉の取り付けと鉢（ゲス）に取り付ける方法を提供する。【解決手段】ミニタオルハンカチを扇のような折方で四つ折りにし、そのときバラの中心部を突起させる為に８ｍｍ程度ずらして折リたたむ。中心部分から巻き、最後部分の端をバラの花ビラの形状に似たようにめくり上げ、底面になる部分に１３ｃｍ角程度の色付きの薄紙を中心部分にあて、底面から８ｍｍ前後の所で輪ゴムを使用し２重に巻いて止める。これにより花びらの柔らかな感覚が表現できるのと同時にタオル素材を傷めずに固定することが可能となり、鉢（ゲス）に取り付けることができるアートフラワー。【選択図】図６
0003138190.tif 000002
【実用新案登録請求の範囲】
【請求項１】
ミニタオルハンカチをバラの形状に似せて加工する方法で、
ミニタオルハンカチを扇のようなジャバラ折で四つ折りにし、そのときバラの中心部を突起させる為に８ｍｍ程度ずらして折リたたむ、このとき底の部分になる部分を蛇行させないようにする、後で固定する場合に困難になる為です。
中心部分から巻いていき、最後部分の端をバラの花ビラの形状に似たようにめくる底面になる部分に１３ｃｍ角程度の色付きの薄紙を中心部分にあて、底面から８ｍｍ前後の所で輪ゴムを使用し２重に巻いて止めます。これにより花びらの柔らかな感覚が表現できるのと同時にタオル素材を傷めずに固定することが可能となります。
当てた薄紙の底部分にアートリーフのバラの葉を粘着テープで貼り付け、直系５ｃｍ程度の穴をあけた鉢（ゲス）には葉っぱの柄を印刷しておき粘着テープで固定します。
これによりミニタオルハンカチが、そのまま飾れるフラワーアートとしての癒し効果を発揮しうる形状になります。
【考案の詳細な説明】
【技術分野】
【０００１】本考案はミニタオルハンカチを如何に本物のバラの花のように見せるかの加工方法とハンカチとして直ぐに使用でき、生地素材を傷めること無くその形状を保つことに関する為に考案したものです。
【背景技術】
【０００２】従来のタオル素材を使って花に似せた製品は斜めに折ったタオルチーフを簡単に巻いただけで、花びらに見えないことと、その固定方法として、クリップで留めるため、タオル素材を傷つける可能性があった。
【考案の開示】
【考案が解決しょうとする課題】
【０００３】従来からタオル素材を使って花に似せた製品は、簡単にタオルを巻いただけで花びらには見えないため、より本物の花のように見えるようにする加工技術。
【０００４】素材を傷めることなく固定するための加工技術。
【０００５】そのまま飾っておいて見ているだけでも癒し効果があるようなフラワーアートとしての価値のあるタオルチーフ。
【課題を解決する為の手段】
【０００６】ミニタオルハンカチをバラの形状に似せて加工する方法で、
ミニタオルハンカチを扇のような折方で四つ折りにし、そのときバラの中心部を突起させる為に８ｍｍ程度ずらして折リたたむ、このとき底の部分になる部分を蛇行させないようにする、後で固定する場合に困難になる為。
中心部分から巻いていき、最後部分の端をバラの花ビラの形状に似たようにめくりあげるのがポイントになります。
底面になる部分に１３ｃｍ角程度の色付きの薄紙を中心部分にあて、底面から８ｍｍ前後の所で輪ゴムを使用し２重に巻いて止めます。これにより花びらの柔らかな感覚が表現できるのと同時にタオル素材を傷めずに固定することが可能となります。
当てた薄紙の底部分にアートリーフのバラの葉を粘着テープで貼り付け、直系５ｃｍ程度の穴をあけたゲスには葉っぱの柄を印刷しておき粘着テープで固定します。
これによりミニタオルハンカチが、そのまま飾れるフラワーアートとしての癒し効果のあるものになりました。
【考案の効果】
【０００７】従来のタオルチーフ素材を使って花に似せた製品は斜めに折ったタオルチーフを簡単に巻いただけで、花びらに見えないため、そのままの状態で飾りとしては問題があったが本考案はそのままの状態でフラワーアートとして飾っておくことが出来るものであることが重要な所です。又タオルチーフとしても簡単に取り外せ使用できる。
又その固定方法として、クリップで留め傷つける可能性があったものを紙を挟み輪ゴムで固定する為、タオル素材を傷つかないようにした。
【考案を実施する為の最良の形態】
【０００８】ミニタオルハンカチをバラの形状に似せて加工する方法で、
ミニタオルハンカチを扇のような折方で四つ折りにし、そのときバラの中心部を突起させる為に８ｍｍ程度ずらして折リたたむ、このとき底の部分になる部分を蛇行させないようにする、後で固定する場合に困難になる為。
中心部分から巻いていき、最後部分の端をバラの花ビラの形状に似たようにめくり上げるのがポイントになります。
底面になる部分に１３ｃｍ角程度の色付きの薄紙を中心部分にあて、底面から５ｍｍ前後の所で輪ゴムを使用し２重に巻いて止めます。これにより花びらの柔らかな感覚が表現できるのと同時にタオル素材を傷めずに固定することが可能となります。
当てた薄紙の底部分にアートリーフのバラの葉を粘着テープで貼り付け、直系５ｃｍ程度の穴をあけたゲスには葉っぱの柄を印刷しておき粘着テープで固定します。
これによりミニタオルハンカチが、そのまま飾れるフラワーアートとしての癒し効果を発揮しうる形状になりました。
【産業上の利用可能性】タオルチーフとして使用できます。
【図面の簡単な説明】
【図１】立体図  ミニタオルハンカチを扇のようなジャバラ折で四つ折りにする。
【図２】立体図〔符号の説明〕（Ａ）バラの中心部を突起させる為に８ｍｍ程度ずらして折ることが重要となります。
【図３】立体図〔符号の説明〕（Ｂ）底部分がいがまないように注意しながら中心部分（手前）から巻いていく。
【図４】立体図〔符号の説明〕（Ｃ）最後部分の端をバラの花ビラの形状に似たようにめくり上げる。
【図５】立体図〔符号の説明〕底面になる部分に１３ｃｍ角程度の色付きの薄紙（Ｄ）を中心部分にあて、底面の下から８ｍｍ前後の所で輪ゴム（Ｅ）を使用し２重に巻いて止める。
【図６】立体図〔符号の説明〕（Ｆ）アートリーフを張り付け、５ｃｍの穴の空いた（Ｇ）鉢の台紙（ゲス）に突っ込み固定する。
【図１】
0003138190.tif 000003
【図２】
0003138190.tif 000004
【図３】
0003138190.tif 000005
【図４】
0003138190.tif 000006
【図５】
0003138190.tif 000007
【図６】
0003138190.tif 000008
【手続補正書】
【提出日】平成19年9月13日(2007.9.13)
【手続補正１】
【補正対象書類名】実用新案登録請求の範囲
【補正対象項目名】全文
【補正方法】変更
【補正の内容】
【実用新案登録請求の範囲】
【請求項１】
ミニタオルハンカチを扇のようなジャバラ折で四つ折りにし、そのときバラの中心部を突起させる為にずらして折リたたむ、
このとき底の部分になる部分を蛇行させないようにし、中心部分から巻いていき、最後部分の端をバラの花ビラの形状に似たようにめくる
底面になる部分には色付きの薄紙を中心部分にあて、輪ゴムで巻いて止め、当てた薄紙の底部分にアートリーフのバラの葉を粘着テープで貼り付け、直径５ｃｍ程度の穴をあけた鉢に粘着テープで固定することにより、バラの花の形状に加工したミニタオルハンカチによるフラワーアート。